【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
複数の光源と、画素クロックの周期に応じて前記複数の光源をそれぞれ駆動する駆動手段と、前記複数の光源のそれぞれから発生するそれぞれの光ビームを画像データに基づいて変調する光変調手段と、変調された前記光ビームを光学系により走査しながら感光体上を照射し、画像を形成する画像形成手段と、主走査ラインの基準となる先端同期信号を検出する先端同期検出手段と、主走査ライン後端の位置を示す後端同期信号を検出する後端同期検出手段と、検出された前記先端同期信号と後端同期信号との間の時間を計測する計測手段と、該計測手段の計測結果に基いて主走査倍率を補正する主走査倍率補正手段とを備えたカラー画像形成装置において、
基準周期、該基準周期より短い短周期、および前記基準周期より長い長周期の画素クロックのうちいずれか１つを画素ごとに発生する画素クロック発生手段と、
該画素クロック発生手段に対して前記画素クロックの周期を１画素ごとに指定する画素クロック制御手段とを備え、
該画素クロック制御手段は、１主走査ラインの倍率誤差を補正するために前記計測手段の計測結果に応じて画素クロックの補正データを画素ごとに求める倍率誤差補正手段と、前記光学系の特性よる伸縮歪みを補正するために予め取得した前記光学系の伸縮歪みデータに応じて画素クロックの補正データを画素ごとに求める倍率偏差補正手段と、該倍率誤差補正部手段および倍率偏差補正手段により求められたそれぞれの補正データを画素ごとに合成する補正データ合成手段とを備え、
基準周期でない画素クロックの画素数および間隔を調整することにより各色間の色ずれを補正するとともに、前記補正データ合成手段は、合成した結果、前記短周期の補正データ同士または長周期の補正データ同士が重なる場合、２つの補正データのうちの一方を次画素または間隔を所定の画素数以上空けてさらに後続する画素に分配して補正し、前記画像形成手段により画像形成を行う
ことを特徴とするカラー画像形成装置。
【請求項２】
複数の光源と、画素クロックの周期に応じて前記複数の光源をそれぞれ駆動する駆動手段と、前記複数の光源のそれぞれから発生するそれぞれの光ビームを画像データに基づいて変調する光変調手段と、変調された前記光ビームを光学系により走査しながら感光体上を照射し、画像を形成する画像形成手段と、主走査ラインの基準となる先端同期信号を検出する先端同期検出手段と、主走査ライン後端の位置を示す後端同期信号を検出する後端同期検出手段と、検出された前記先端同期信号と後端同期信号との間の時間を計測する計測手段と、該計測手段の計測結果に基いて主走査倍率を補正する主走査倍率補正手段とを備えたカラー画像形成装置において、
基準周期、該基準周期より短い短周期、および前記基準周期より長い長周期の画素クロックのうちいずれか１つを画素ごとに発生する画素クロック発生手段と、
該画素クロック発生手段に対して前記画素クロックの周期を１画素ごとに指定する画素クロック制御手段とを備え、
該画素クロック制御手段は、１主走査ラインの倍率誤差を補正するために前記計測手段の計測結果に応じて画素クロックの補正データを画素ごとに求める倍率誤差補正手段と、前記光学系の特性よる伸縮歪みを補正するために予め取得した前記光学系の伸縮歪みデータに応じて画素クロックの補正データを画素ごとに求める倍率偏差補正手段と、該倍率誤差補正部手段および倍率偏差補正手段により求められたそれぞれの補正データを画素ごとに合成する補正データ合成手段とを備え、
基準周期でない画素クロックの画素数および間隔を調整することにより各色間の色ずれを補正するとともに、前記補正データ合成手段は、合成した結果、基準周期でない補正データが連続する場合、該データを所定の画素数以上間隔を空けて配置し、補正したのち前記画像形成手段により画像形成を行う
ことを特徴とするカラー画像形成装置。
【請求項３】
請求項１または請求項２記載のカラー画像形成装置において、間隔を空ける際の前記所定の画素数を設定可能な構成にしたことを特徴とするカラー画像形成装置。 
【請求項４】
請求項１、請求項２、または請求項３記載の画像形成装置において、前記補正データ合成手段は、前記短周期と長周期とが連続した場合、その２つの周期をどちらも基準周期とする構成であることを特徴とするカラー画像形成装置。
【手続補正２】
【補正対象書類名】明細書
【補正対象項目名】０００４
【補正方法】変更
【補正の内容】
【０００４】
前記した課題を解決するために、請求項１記載の発明では、複数の光源と、画素クロックの周期に応じて前記複数の光源をそれぞれ駆動する駆動手段と、前記複数の光源のそれぞれから発生するそれぞれの光ビームを画像データに基づいて変調する光変調手段と、変調された前記光ビームを光学系により走査しながら感光体上を照射し、画像を形成する画像形成手段と、主走査ラインの基準となる先端同期信号を検出する先端同期検出手段と、主走査ライン後端の位置を示す後端同期信号を検出する後端同期検出手段と、検出された前記先端同期信号と後端同期信号との間の時間を計測する計測手段と、該計測手段の計測結果に基いて主走査倍率を補正する主走査倍率補正手段とを備えたカラー画像形成装置において、基準周期、該基準周期より短い短周期、および前記基準周期より長い長周期の画素クロックのうちいずれか１つを画素ごとに発生する画素クロック発生手段と、該画素クロック発生手段に対して前記画素クロックの周期を１画素ごとに指定する画素クロック制御手段とを備え、該画素クロック制御手段は、１主走査ラインの倍率誤差を補正するために前記計測手段の計測結果に応じて画素クロックの補正データを画素ごとに求める倍率誤差補正手段と、前記光学系の特性よる伸縮歪みを補正するために予め取得した前記光学系の伸縮歪みデータに応じて画素クロックの補正データを画素ごとに求める倍率偏差補正手段と、該倍率誤差補正部手段および倍率偏差補正手段により求められたそれぞれの補正データを画素ごとに合成する補正データ合成手段とを備え、基準周期でない画素クロックの画素数および間隔を調整することにより各色間の色ずれを補正するとともに、前記補正データ合成手段は、合成した結果、前記短周期の補正データ同士または長周期の補正データ同士が重なる場合、２つの補正データのうちの一方を次画素または間隔を所定の画素数以上空けてさらに後続する画素に分配して補正し、前記画像形成手段により画像形成を行う構成とした。
【手続補正３】
【補正対象書類名】明細書
【補正対象項目名】０００５
【補正方法】変更
【補正の内容】
【０００５】
また、請求項２記載の発明では、複数の光源と、画素クロックの周期に応じて前記複数の光源をそれぞれ駆動する駆動手段と、前記複数の光源のそれぞれから発生するそれぞれの光ビームを画像データに基づいて変調する光変調手段と、変調された前記光ビームを光学系により走査しながら感光体上を照射し、画像を形成する画像形成手段と、主走査ラインの基準となる先端同期信号を検出する先端同期検出手段と、主走査ライン後端の位置を示す後端同期信号を検出する後端同期検出手段と、検出された前記先端同期信号と後端同期信号との間の時間を計測する計測手段と、該計測手段の計測結果に基いて主走査倍率を補正する主走査倍率補正手段とを備えたカラー画像形成装置において、基準周期、該基準周期より短い短周期、および前記基準周期より長い長周期の画素クロックのうちいずれか１つを画素ごとに発生する画素クロック発生手段と、該画素クロック発生手段に対して前記画素クロックの周期を１画素ごとに指定する画素クロック制御手段とを備え、該画素クロック制御手段は、１主走査ラインの倍率誤差を補正するために前記計測手段の計測結果に応じて画素クロックの補正データを画素ごとに求める倍率誤差補正手段と、前記光学系の特性よる伸縮歪みを補正するために予め取得した前記光学系の伸縮歪みデータに応じて画素クロックの補正データを画素ごとに求める倍率偏差補正手段と、該倍率誤差補正部手段および倍率偏差補正手段により求められたそれぞれの補正データを画素ごとに合成する補正データ合成手段とを備え、基準周期でない画素クロックの画素数および間隔を調整することにより各色間の色ずれを補正するとともに、前記補正データ合成手段は、合成した結果、基準周期でない補正データが連続する場合、該データを所定の画素数以上間隔を空けて配置し、補正したのち前記画像形成手段により画像形成を行う構成とした。  
また、請求項３記載の発明では、請求項１または請求項２記載のカラー画像形成装置において、間隔を空ける際の前記所定の画素数を設定可能な構成にした。また、請求項４記載の発明では、請求項１、請求項２、または請求項３記載の画像形成装置において、前記補正データ合成手段は、前記短周期と長周期とが連続した場合、その２つの周期をどちらも基準周期とする構成にした。